(57)【特許請求の範囲】
【請求項１】
振動板とボイスコイルを含む振動システムと、前記ボイスコイルを収容する磁気ギャップを形成する磁路システムとを備える駆動音源と、
受動音源と、
前記駆動音源と前記受動音源を収容して固定する保護フレームと、を備え、
前記振動板の上側と前記保護フレームとの間に前部音響腔を形成し、前記振動板の磁路システムに近接する側と前記保護フレームとの間に後部音響腔を形成するスピーカーモジュールにおいて、
前記駆動音源は側面から音を出す構成で、前記保護フレームの側面に前記前部音響腔とつながる駆動音源の放音孔が設けられ、
対向して設置された二つのパッシブラジエーターを備える前記受動音源が前記後部音響腔内に設置され、二つの前記パッシブラジエーターは並行に設置された構成であり、二つの前記パッシブラジエーターの間は囲まれて一つのキャビティを形成し、前記振動板の磁路システムに近接する側の音波が２分割されて、それぞれ二つの前記パッシブラジエーターの前記キャビティから離れた側に伝送され、前記キャビティ内の音波が押出されて受動音源の放音孔から外部に放出され、
前記振動板は、中心部に設置されたドーム部と、前記ドーム部の縁に位置するエッジ部とを備え、前記エッジ部は、前記磁路システムに近接する側へ凹んだ弧状の構成であり、前記エッジ部と前記保護フレームがつながる部位は前記エッジ部と前記ドーム部がつながる部位より低いことを特徴とするスピーカーモジュール。
【請求項２】
前記駆動音源の放音孔と前記受動音源の放音孔が互いに離隔された構成で、前記スピーカーモジュールの同じ側面に位置することを特徴とする請求項１に記載のスピーカーモジュール。
【請求項３】
二つの前記パッシブラジエーターの間の前記キャビティと前記受動音源の放音孔との間が音導管で連通され、前記音導管は前記保護フレームにより囲まれて構成されることを特徴とする請求項２に記載のスピーカーモジュール。
【請求項４】
前記保護フレームは上筐体と、中間筐体と、下筐体とを備え、前記上筐体と前記中間筐体が前記駆動音源を収容し、前記中間筐体と前記下筐体が前記受動音源を収容し、
前記上筐体の前記振動板に対向する側、前記中間筐体の前記パッシブラジエーターに対向する側、及び前記下筐体の前記パッシブラジエーターに対向する側に射出成形により金属板が設置されることを特徴とする請求項３に記載のスピーカーモジュール。
【請求項５】
前記音導管は前記中間筐体と前記下筐体の結合により形成され、前記中間筐体の前記下筐体に対向する側に結合リブ部が設置され、前記結合リブ部が前記下筐体と結合して前記音導管を形成することを特徴とする請求項３又は４に記載のスピーカーモジュール。
【請求項６】
前記受動音源の放音孔は二つであり、それぞれ前記駆動音源の放音孔の両側に位置し、
前記中間筐体に前記キャビティと前記音導管をつながる開孔が設置され、前記開孔と前記音導管の数はいずれも二つであり、それぞれ二つの前記受動音源の放音孔につながることを特徴とする請求項５に記載のスピーカーモジュール。
【請求項７】
前記音導管の外側壁の前記駆動音源に対向する部分に射出成形により鋼板が設置され、前記鋼板は二つであり、二つの前記鋼板と前記中間筐体の二つの外側壁が一体化して射出成形することを特徴とする請求項５に記載のスピーカーモジュール。
【請求項８】
二つの前記パッシブラジエーターは完全に同じ構成であり、二つの前記パッシブラジエーターは、振動板本体部と、前記振動板本体部に結合されたマスとを備え、
前記振動板本体部が熱塑性ポリウレタン材料で構成されることを特徴とする請求項１に記載のスピーカーモジュール。
【請求項９】
前記振動板本体部の上側と下側の中心部にタングステン鋼合金材料のマスが結合されていることを特徴とする請求項８に記載のスピーカーモジュール。
【発明の詳細な説明】
【技術分野】
【０００１】
本発明は電気音響変換の技術分野に関し、特に、低音効果を増強できるスピーカーモジュールに関する。
【背景技術】
【０００２】
社会の進歩と技術の発展に伴い、端末電子装置はサイズが小さく、厚さが薄くなってきており、それに合わせてマイクロスピーカーモジュールの小型化が進んでいるが、製品の性能に対する消費者の需要はますます高まり、特に音声の重低音効果に対する需要がますます高まってきている。小さいスピーカーモジュールは、サイズの制限を受けて、理想の低音効果を実現しにくい。
【０００３】
通常のスピーカーモジュールは、スピーカー単体と、スピーカー単体を囲んで設置されている複数のハウジングとを備える。前記スピーカー単体は、振動板とボイスコイルを含む振動システムと、ボイスコイルを収容する磁気ギャップを形成する磁路システムとを備え、振動板がボイスコイルによって振動して音を出して外部に放音することによって、その音が人間の耳に入る。振動板とハウジングの間にはお互いに離隔された前部音響腔と後部音響腔が形成されており、前部音響腔とモジュールの放音孔が連通し、後部音響腔は一般的に封止される構成である。通常は後部音響腔のサイズが大きいほど低音効果が良好であるが、モジュールの空間が限られているので、期待の低音効果が実現しにくい。
【０００４】
よって、上記課題を解決できるスピーカーモジュールを提供する必要がある。
【発明の概要】
【発明が解決しようとする課題】
【０００５】
本発明は、上記問題に鑑み、サイズが限られたスピーカーモジュールにおいて、内部空間を十分に利用して低音効果を増強し、それによって製品の音響性能を向上できるスピーカーモジュールを提供する。
【課題を解決するための手段】
【０００６】
上記課題を解決するために、本発明が提供するスピーカーモジュールは、振動板とボイスコイルを含む振動システムと、前記ボイスコイルを収容する磁気ギャップを形成する磁路システムとを備える駆動音源と、受動音源と、前記駆動音源と前記受動音源を収容して固定する保護フレームと、を備え、前記振動板の上側と前記保護フレームとの間に前部音響腔を形成し、前記振動板の磁路システムに近接する側と前記保護フレームとの間に後部音響腔を形成するスピーカーモジュールにおいて、前記駆動音源は側面から音を出す構成で、前記保護フレームの側面に前記前部音響腔とつながる駆動音源の放音孔が設けられ、対向して設置された二つのパッシブラジエーターを備える前記受動音源が前記後部音響腔内に設置され、二つの前記パッシブラジエーターは並行に設置された構成であり、二つの前記パッシブラジエーターの間は囲まれて一つのキャビティを形成し、前記振動板の磁路システムに近接する側の音波が２分割されて、それぞれ二つの前記パッシブラジエーターの前記キャビティから離れた側に伝送され、前記キャビティ内の音波が押出されて受動音源の放音孔から外部に放出され、前記振動板は、中心部に設置されたドーム部と、前記ドーム部の縁に位置するエッジ部とを備え、前記エッジ部は、前記磁路システムに近接する側へ凹んだ弧状の構成であり、前記エッジ部と前記保護フレームがつながる部位は前記エッジ部と前記ドーム部がつながる部位より低い。
【０００７】
また、前記駆動音源の放音孔と前記受動音源の放音孔が互いに離隔された構成で、前記スピーカーモジュールの同じ側面に位置する構成が好ましい。
【０００８】
また、二つの前記パッシブラジエーターの間の前記キャビティと前記受動音源の放音孔との間が音導管で連通され、前記音導管は前記保護フレームにより囲まれて構成される構成が好ましい。
【０００９】
また、前記保護フレームは上筐体と、中間筐体と、下筐体とを備え、前記上筐体と前記中間筐体が前記駆動音源を収容し、前記中間筐体と前記下筐体が前記受動音源を収容し、前記上筐体の前記振動板に対向する側、前記中間筐体の前記パッシブラジエーターに対向する側、及び前記下筐体の前記パッシブラジエーターに対向する側に射出成形により金属板が設置される構成が好ましい。
【００１０】
また、前記音導管は前記中間筐体と前記下筐体の結合により形成され、前記中間筐体の前記下筐体に対向する側に結合リブ部が設置され、前記結合リブ部が前記下筐体と結合して前記音導管を形成する構成が好ましい。
【００１１】
また、前記受動音源の放音孔は二つであり、それぞれ前記駆動音源の放音孔の両側に位置し、前記中間筐体に前記キャビティと前記音導管をつながる開孔が設置され、前記開孔と前記音導管の数はいずれも二つであり、それぞれ二つの前記受動音源の放音孔につながる構成が好ましい。
【００１２】
また、前記音導管の外側壁の前記駆動音源に対向する部分に射出成形により鋼板が設置され、前記鋼板は二つであり、二つの前記鋼板と前記中間筐体の二つの外側壁が一体化して射出成形する構成が好ましい。
【００１３】
また、二つの前記パッシブラジエーターは完全に同じ構成であり、二つの前記パッシブラジエーターは、振動板本体部と、前記振動板本体部に結合されたマスとを備え、前記振動板本体部が熱塑性ポリウレタン材料で構成される構成が好ましい。
【００１４】
また、前記振動板本体部の上側と下側の中心部にタングステン鋼合金材料のマスが結合されている構成が好ましい。
【００１５】
また、前記駆動音源の振動板は、中心部にいるドーム部と、縁部にいるエッジ部とを備え、前記エッジ部と前記ハウジングがつながる部位は前記エッジ部と前記ドーム部がつながる部位より低い構成が好ましい。
【００１６】
上記のような技術手段を採用することによって、本発明は従来の構成に比べて、スピーカーモジュールの後部音響腔内に受動音源を設置し、受動音源における二つのパッシブラジエーターの間の押出しにより、二つのパッシブラジエーターの間のキャビティ内の音波を外部に放出し、それによって製品の低音効果を高めて、製品の音響性能を向上できる。
【図面の簡単な説明】
【００１７】
【図１】本発明のスピーカーモジュールの構成を示す断面図
【図２】本発明の駆動音源部分の構成を示す断面図
【図３】図１のスピーカーモジュールのＡ部分の構成を示す拡大図
【図４】本発明のスピーカーモジュールから上筐体を外した構成を示す斜視図
【図５】本発明のスピーカーモジュールから下筐体を外した構成を示す斜視図
【発明を実施するための形態】
【００１８】
以下、図面と具体的な実施例を結合して、本発明を更に詳しく説明する。
【００１９】
以下の説明において、詳しい説明を通じて本発明のいくつかの実施例について解説するが、本発明の主旨と保護範囲から逸脱しないことを前提に前記実施例に対していろんな形態の変形を行うことができることは当業者にとって自明である。よって、図面と説明は本質的にはただの説明性のものであり、特許請求の保護範囲を制限するものではない。また、本明細書において同じ図面符号は同じ構成を示す。
【００２０】
本発明のスピーカーモジュールは駆動音源と受動音源を備えており、受動音源は具体的にパッシブラジエーターである。駆動音源は主動的に音を出すことができる部分で、振動システムと磁路システムを備え、振動システムは振動板とボイスコイルを含み、磁路システムにより形成されたボイスコイルは磁気ギャップを収容し、ボイスコイルは電気信号によって磁気ギャップにおいて上下方向で振動し、さらに振動板を振動させることによって音を発生させる。駆動音源は振動板によって前部音響腔と後部音響腔に仕切られており、振動板の上側は前部音響腔であり、前部音響腔は駆動音源の放音孔と連通して、振動板により発生する音を外部に伝送する。振動板の後側の空間は駆動音源の後部音響腔であり、当該後部音響腔には受動音源が設けられている。本発明の受動音源は並行且つ対向して設置された二つのパッシブラジエーターを有し、二つのパッシブラジエーターの間は囲まれた一つのキャビティとなり、駆動音源の振動板の磁路システムに近接する側の音波は駆動音源から発生されてから２分割され、それぞれ二つのパッシブラジエーターの上記したキャビティから反対側に伝送される。二つのパッシブラジエーターはキャビティを押出して、キャビティの内部の気流が受動音源の放音孔を通じて外部に放出する。本発明は後部音響腔の空間を十分に利用して、二つのパッシブラジエーターを設置することによって、スピーカーモジュールの低音効果を向上できる。
【００２１】
図１は本発明のスピーカーモジュールの構成を示す断面図であり、図２は本発明の駆動音源部分の構成を示す断面図である。
【００２２】
図１及び図２に示すように、スピーカーモジュールは左側に位置する駆動音源と、右側に位置する受動音源と、駆動音源と受動音源を収容する保護フレームとを備えている。ここで、保護フレームは上側（振動板に近接する側）に位置する上筐体１１と、中間筐体１２と、下側に位置する下筐体１３とを備えている。
【００２３】
駆動音源は自主的に音を発生できる部分であり、図２に示すように、駆動音源は振動システムと磁路システムを備えており、前記振動システムは振動板２１と、前記振動板２１の下側に結合されたボイスコイル２２を含む。前記磁路システムは順次に結合されているばね座金３１、磁石３２とフレーム３３を備えており、磁路システムにおけるばね座金３１、磁石３２の外側面とフレーム３３の側壁の間に所定のギャップを有し、当該ギャップは磁気ギャップでとなる。ボイスコイル２２は当該磁気ギャップに収容され、磁路システムにより形成された磁力線はボイスコイル２２を貫通している。前記ボイスコイル２２は通常銅被覆アルミニウム線のような導電性ある金属線により巻き取られて形成され、ボイスコイル２２に電気信号が入力されると、磁路システムによって形成された磁場においてアンペアの力を受ける。ボイスコイル２２に交番信号が入力されるため、受けているアンペアの力の大きさと方向は信号に対応して変化する。アンペアの力によって、ボイスコイル２２は磁気ギャップにおいて上下方向で振動する。ボイスコイル２２と振動板２１は結合されて一体となっているため、ボイスコイル２２の振動が振動板２１を振動させることができ、それによって音を発生する。
【００２４】
振動板２１は中心部に設置された平板状のドーム部２１０、及びドーム部の縁に位置するエッジ部２１１を備えており、通常はドーム部２１０に剛性の再結合層を結合する。図２に示すように、再結合層は良好な剛性を有し、軽量であり、再結合層を設置することによって振動板２１の高周波特性を向上でき、振動板２１に高周波の分割振動が発生することを防止できる。エッジ部２１１とドーム部２１０がつながっており、弧状でフレキシブルの構成である。弧状の構成によって、振動板２１が上下方向で振動する時に振動板２１を過激に引っ張らないようにする。本実施例のエッジ部２１１は下側へ凹んだ構成、即ち磁路システムに近接する側へ凹んだ構成であり、このようなエッジ部２１１の下側へ凹んだ構成は、スピーカーモジュールの具体的な構成に合わせて設置された。上筐体１１との衝突を回避し、モジュール内の空間を十分に利用することによって、駆動音源の厚さを減らし、駆動音源の全体サイズを大きくすることができる。
【００２５】
駆動音源は側面から音を出す構成であり、上筐体１１と中間筐体１２の間に駆動音源の放音孔１０を形成した。図１及び図２に示すように、放音孔１０は保護フレームの側面に位置し、具体的には上筐体１１と中間筐体１２の結合により形成されている。放音孔１０の空間を広げて、駆動音源の気流をスムーズに外部に放射させるために、本発明のエッジ部２１１の両端には高度差が存在する。即ち、エッジ部２１１と中間筐体１２が連結されている位置と、エッジ部２１１とドーム部２１０が連結されている位置との間に高度差ｄを有する。具体的には、図２に示すように、エッジ部２１１と中間筐体１２が結合されている位置が低く、同時に、中間筐体１２の上筐体１１に近接する側の位置が低くなり、上筐体１１と中間筐体１２の間の距離が振動板２１側で増えることによって、放音孔１０の高度差を大きくなり、音響放射面積を増やすことができる。
【００２６】
振動板２１の上側は保護フレームにおける上筐体１１であり、上筐体１１はプラスチック本体を含み、上筐体１１の中心位置に射出成形により金属板１１０が設置される。プラスチック材料に比べて、金属材料は所定の強度を満足できるので、このような上筐体１１に射出成形により金属板１１０を設置する構成は、スピーカーモジュールの厚さを減らせる同時に、スピーカーモジュールの内部空間を広げることができるので、それによって駆動音源のサイズを増やせる同時に、製品の音響性能を向上できる。中間筐体１２は磁路システムを固定し、上筐体１１と中間筐体１２の間は粘着または超音波溶接などによって固定結合され、上筐体１１と中間筐体１２により駆動音源を収容して固定する。
【００２７】
振動板２１はスピーカーモジュール内の空間を前部音響腔と後部音響腔に仕切り、前部音響腔は振動板２１の上側と保護フレームの間に囲まれた空間である。前部音響腔と駆動音源の放音孔１０は連通して、音を外部に放出させることができる。だが、このような構成に限らず、後部音響腔と駆動音源の放音孔１０が連通されてもよい。後部音響腔は振動板２１の磁路システム側に形成された音響腔であり、従来の構成の後部音響腔は封止の構成だったが、本発明の後部音響腔には受動音源が設置されている。
【００２８】
図１及び図３に基づいて説明すると、本発明のスピーカーモジュールの後部音響腔にパッシブラジエーター５１とパッシブラジエーター５２の二つのパッシブラジエーターが設置されている。パッシブラジエーター５１とパッシブラジエーター５２は並行設置された構成で、二つのパッシブラジエーターは対向して設置されており、パッシブラジエーター５１とパッシブラジエーター５２の間は囲まれて一つのキャビティになる。
【００２９】
なお、本実施例のパッシブラジエーター５１とパッシブラジエーター５２は完全に同じ構成であるが、このような完全に同じ構成に限らない。
【００３０】
駆動音源の振動板２１の後側（磁路システムに近接する側）で発生した音波が受動音源まで流れた場合、それぞれパッシブラジエーター５１とパッシブラジエーター５２の相手から離れた側（キャビティから離反した側）に流れ、即ち、気流は２分割され、それぞれパッシブラジエーター５１の上側とパッシブラジエーター５２の下側に流れて、二つのパッシブラジエーターの間のキャビティ内部の空気が押出されて、受動音源の放音孔を通じて外部に放出される。このような後部音響腔内にパッシブラジエーターを設置する構成は、後部音響腔の空間を十分に利用でき、後部音響腔内の音波を利用してパッシブラジエーターを振動させて音を出し、且つ低音を発生できるので、モジュール全体の低音効果を向上できる。
【００３１】
なお、パッシブラジエーター５１とパッシブラジエーター５２は振動板本体部と振動板本体部に結合されているマスを備えており、振動板本体部はフレキシブル材料で構成され、マスは通常は重い金属材料で構成される。図３に示すように、具体的には、パッシブラジエーター５１は振動板本体部５１０とマス５１１を含み、パッシブラジエーター５２は振動板本体部５２０とマス５２１を含んでいる。なお、振動板本体部５１０と振動板本体部５２０の材料は共にＴＰＵ（熱塑性ポリウレタン）であり、このような材料はダンパー効果がいい。振動板本体部にマスを結合することによってパッシブラジエーターの重量を増やすことができ、重低音効果を増強させることができる。また、スピーカーモジュールの内部空間が狭いので、マス５１１とマス５２１は密度が高いタングステン鋼合金材料を採用することが好ましく、それによってマスが薄くてもパッシブラジエーターは所定の重量となることができる。振動板本体部の上側と下側には同じマスを結合することが好ましく、即ち、振動板本体部５１０の上側と下側に一つのマス５１１を結合し、振動板本体部５２０の上側と下側に一つのマス５２１を結合して、パッシブラジエーターの重量を保証する同時にパッシブラジエーターがバランスよく振動するようにする。なお、振動板本体部は中心部にいる平坦なドーム部と縁部に位置している所定の円弧面を持つエッジ部を含む。本実施例のパッシブラジエーター５１とパッシブラジエーター５２のエッジ部の曲げ方向は同じ方向となっており、二つのパッシブラジエーターの一致性を保証できるが、これらの構成に限らない。
【００３２】
図１に示すように、スピーカーモジュールの後部音響腔は主に中間筐体１２と下筐体１３により囲まれている。パッシブラジエーター５１とパッシブラジエーター５２は共に中間筐体１２の突起部に結合される。図１及び図３に示すように、中間筐体１２とパッシブラジエーター５１とパッシブラジエーター５２により囲まれて一つの独立な内部キャビティとなり、当該内部キャビティはただ二つの音導管を通じて受動音源の放音孔とつながって、外部との連通を実現する。同様に、スピーカーモジュールの空間を十分に利用するため、中間筐体１２のパッシブラジエーター５１に対向する位置に射出成形により金属板１２１が設置され、下筐体１３のパッシブラジエーター５２に対抗する位置に金属板１３１を設置する。このようにパッシブラジエーター５１とパッシブラジエーター５２の振幅が大きい位置に射出成形により金属板を設置する構成は、その位置の高さ（空間）を高めて、二つのパッシブラジエーターの振動に十分な空間を提供し、それによってスピーカーモジュールの音響性能を保証できる。
【００３３】
図４及び図５を参照して説明すると、図４はスピーカーモジュールから上筐体１１を外した斜視図で、図５はモジュールから下筐体１３を外した斜視図であり、スピーカーモジュールの中間筐体１２と上筐体１１の間に受動音源の放音孔２０が形成される。図４に示すように、受動音源の放音孔２０の構成と位置を明確に示すために、上筐体１１を図示していない。受動音源の放音孔２０は駆動音源の放音孔１０の両側に位置し、駆動音源の放音孔１０と離れた独立した構成である。二つの受動音源の放音孔２０もそれぞれ独立した構成であり、パッシブラジエーターが発生した音波は２分割されて二つの受動音源の放音孔２０から外部に放出される。
【００３４】
駆動音源の放音孔１０と受動音源の放音孔２０は保護フレームの同じ側に位置して、端末製品との組立を容易にすることが好ましい。図５を参照して説明すると、パッシブラジエーター５１（図示しない）とパッシブラジエーター５２の間の気流は開孔５３を通じて放出された後に、中間筐体１２と下筐体１３の結合により形成された音導管に入る。伝送の経路は図５の矢印が示すように、当該音導管を通じて最終的に受動音源の放音孔２０から外部に放出される。中間筐体１２には突出した結合リブ部１２３が設けられており、図５に示すように、当該結合リブ部１２３は超音波溶接または粘着などによって下筐体１３と固定結合されて、パッシブラジエーターの音波の音導管を形成する。
【００３５】
駆動音源のフレーム３３の四隅部分に四つの開口３３０が設けられ、図５に示すように、振動板２１の後側の音波が開口３３０を通じて後部音響腔に伝達した後に、さらに二つのパッシブラジエーターの両側に伝達できる。図５を参照して説明すると、開口３３０から伝達される音波と開孔５３において伝達される音波は、結合リブ部１２３により仕切られる。即ち、二股の音波が中間筐体１２と下筐体１３によって隔離されて異なる伝送通路を流れる。なお、音導管の外側壁において、駆動音源に対向する位置に射出成形により鋼板が設置され、具体的には図５に示すように、中間筐体１２の側壁外側の駆動音源に対向する位置に射出成形により鋼板１２４が設置される。当該位置に鋼板１２４を設置することによって、鋼板の高強度特徴を利用して音導管の内径を増やし、それによって受動音波の放出に有利し、音響性能も向上できる。
【００３６】
図１から図５を参照して説明すると、本発明のスピーカーモジュールは駆動音源と受動音源を備えており、駆動音源の振動板２１から発生された音は駆動音源の放音孔１０を通じて外部に放出される。当該部分の音波は主に中高周波域の音波であり、受動音源はパッシブラジエーター５１とパッシブラジエーター５２の二つのパッシブラジエーターを備える。これらパッシブラジエーターはそれぞれ振動板２１の後側の音波の付勢を受けて、二つのパッシブラジエーターの間のキャビティ内の気流を押出して外部に放出して低周波域の音波を形成する。具体的に、駆動音源の振動板２１の後部音響腔側に位置する音波は、フレーム３３の角部の開口３３０からパッシブラジエーターが所在する部分に出力され、音波は２分割された後にそれぞれ二つのパッシブラジエーターの上側と下側に伝送される。二つのパッシブラジエーターの間の気流は押出されて開孔５３から出力し、中間筐体１２と下筐体１３により囲まれた音導管に入る。受動音源の音波は音導管の他端の受動音源の放音孔２０を経由して外部に到達して、低周波数の音波が外部に放出できる。
【００３７】
上記のように、本発明が提供するスピーカーモジュールは、後部音響腔内に受動音源を設置し、受動音源は並行に設置された二つのパッシブラジエーターを備え、この二つのパッシブラジエーターの間のキャビティの気流が押出されることによって低周波数の音波を発生する。スピーカーモジュールのサイズが小さくても、このような構成はスピーカーモジュール内の空間を十分に利用して、重低音効果を高めて、モジュールの音響性能を向上できる。
【００３８】
以上、実施形態を通じて図面を参照しながら本発明のスピーカーモジュールに対して説明した。だが、上記本発明のスピーカーモジュールに対して、本発明の内容から脱離しない範囲でその他の改善と変形を行うことができ、これらの改善と変形もすべて本発明の保護範囲内に属することは当業者にとって明らかである。上記具体的な説明はただ本発明の目的を解釈するだけで、本発明の保護範囲は特許請求の範囲及び均等の構成により限定されていることは当業者にとって自明である。
【符号の説明】
【００３９】
１０  駆動音源の放音孔
１１  上筐体
１２  中間筐体
１３  下筐体
２０  受動音源の放音孔
２１  振動板
２２  ボイスコイル
３１  ばね座金
３２  磁石
３３  フレーム
５１  パッシブラジエーター
５２  パッシブラジエーター
５３  開孔
１１０  金属板
１２０  支持柱
１２１  金属板
１２３  結合リブ部
１２４  鋼板
１３１  金属板
２１１  エッジ部
３３０  フレーム開口
５１０  振動板本体部
５１１  マス
５２０  振動板本体部
５２１  マス
【図１】
0006286103.tif 000002
【図２】
0006286103.tif 000003
【図３】
0006286103.tif 000004
【図４】
0006286103.tif 000005
【図５】
0006286103.tif 000006